(57)【要約】【課題】  本発明は、人が転落する危険性がなく、しかも、躯体との一体性を醸し出す外観意匠性の高いエキスパンションジョイントを提供することにある。【解決手段】  躯体１ａ，１ｂ間の動きに追従して可動連結するエキパンションジョイントであって、足場２と、複数の手摺３ａ，３ｂと、躯体１ａ，１ｂと手摺３ａ，３ｂを連結する回動連結部４と、被回動連結部５を備えており、足場２は、躯体１ａ，１ｂ間に跨って水平移動が自在な状態で配置してあり、手摺３ａ，３ｂは、笠木６と下桟７と縦桟８，８ａとからなり、一方の手摺３ａと他方の手摺３ｂは、ほぼ水平方向にスライド自在に嵌合してあり、回動連結部４と被回動連結部５は、軸部１９を中心として垂直軸回りに回動自在であるとともに、軸部１９に沿って上下に移動自在に連結してあり、手摺３ａ，３ｂと躯体１ａ，１ｂ間の間隙のほぼ全体に亘って配置してあることを特徴とする。【選択図】      図１（ａ）（ｂ）
2015151736.tif 000002
【特許請求の範囲】
【請求項１】
躯体間の動きに追従して可動連結するエキパンションジョイントであって、
足場と、複数の手摺と、躯体と手摺を連結する回動連結部と、被回動連結部を備えており、
足場は、躯体間に跨って水平移動が自在な状態で配置してあり、
手摺は、笠木と下桟と縦桟とからなり、一方の手摺と他方の手摺は、ほぼ水平方向にスライド自在に嵌合してあり、
回動連結部と被回動連結部は、軸部を中心として垂直軸回りに回動自在であるとともに、軸部に沿って上下に移動自在に連結してあり、
手摺と躯体間の間隙のほぼ全体に亘って配置してあることを特徴とするエキスパンションジョイント。
【請求項２】
躯体間の動きに追従して可動連結するエキスパンションジョイントであって、
足場と、複数の手摺と、回動連結部と、被回動連結部とを備えており、
足場は、躯体間に跨って水平移動が自在な状態で配置してあり、
手摺は、上桟と下桟と縦桟とからなり、一方の手摺と他方の手摺は、回動連結部と被回動連結部によって垂直軸回りで回動自在に連結してあるとともに、軸部に沿って上下に移動自在に連結してあり、
一方の手摺は、一方の躯体にスライド自在に嵌合しており、他方の手摺は、他方の躯体と回動連結部と被回動連結部によって垂直軸回りで回動自在に連結してあり、
躯体側は、手摺の縦桟に配置される回動連結部と、躯体側に配置される被回動連結部とを有しており、回動連結部と被回動連結部は、垂直軸回りで回動自在に連結してあり、
手摺間および手摺と躯体間に取り付けられる回動連結部と被回動連結部は、手摺間および手摺と躯体間の各々の間隙のほぼ全体に亘って配置してあることを特徴とするエキスパンションジョイント。
【請求項３】
回動連結部と被回動連結部は、軸部を覆い且つ回動連結部と被回動連結部の間隙に常に配置されるアール状または面取り形状なす軸外周側壁部が設けてあることを特徴とする請求項１又は２記載のエキスパンションジョイント。
【発明の詳細な説明】
【技術分野】
【０００１】
本発明は、躯体間に設置されるエキスパンションジョイントに関するものである。
【背景技術】
【０００２】
躯体間に架設する通路を施工するときに、地盤震動や風圧による躯体の動きに追従して動くエキスパンションジョイントがあった。この種のものとして、特開２００９−７４２３７号公報に開示されるものがあり、このエキスパンションジョイントは、躯体間に水平移動自在な状態で足場を架設し、屋外側と通路側に配置される複数の手摺をほぼ水平方向にスライド自在に取り付けてある。さらに、上記の手摺のうち躯体と隣接するものをヒンジや蝶番などに代表される回動連結部と被回動連結部で躯体と連結し、その軸部を中心とする自在な回動及び軸部に沿って上下の移動をそれぞれ可能としている。この軸部における回動と上下動により、躯体に隣接する側の手摺が回動連結部と被回動連結部との連動によって躯体の動きに追従することになる。
【先行技術文献】
【特許文献】
【０００３】
【特許文献１】特開２００９−７４２３７号公報
【発明の概要】
【発明が解決しようとする課題】
【０００４】
上記のようなエキスパンションジョイントは、手摺を躯体に連結する回動連結部と被回動連結部が、手摺と躯体間の上下に数箇所配置してあることから、エキスパンションジョイントが高所に設置してある場合には、上記の回動連結部と被回動連結部に容易に足を掛けることができるようになり、このことから、手摺を登った幼児などが転落する危険性があった。
本発明は上記課題を鑑みてなされたものであり、人が転落する危険性がなく、しかも、躯体との一体性を醸し出す外観意匠性の高いエキスパンションジョイントを提供することにある。
【課題を解決するための手段】
【０００５】
本発明のうち請求項１記載の発明は、躯体間の動きに追従して可動連結するエキパンションジョイントであって、足場と、複数の手摺と、躯体と手摺を連結する回動連結部と、被回動連結部を備えており、足場は、躯体間に跨って水平移動が自在な状態で配置してあり、手摺は、笠木と下桟と縦桟とからなり、一方の手摺と他方の手摺は、ほぼ水平方向にスライド自在に嵌合してあり、回動連結部と被回動連結部は、軸部を中心として垂直軸回りに回動自在であるとともに、軸部に沿って上下に移動自在に連結してあり、手摺と躯体間の間隙のほぼ全体に亘って配置してあることを特徴とする。
【０００６】
本発明のうち請求項２記載の発明は、躯体間の動きに追従して可動連結するエキスパンションジョイントであって、足場と、複数の手摺と、回動連結部と、被回動連結部とを備えており、足場は、躯体間に跨って水平移動が自在な状態で配置してあり、手摺は、上桟と下桟と縦桟とからなり、一方の手摺と他方の手摺は、回動連結部と被回動連結部によって垂直軸回りで回動自在に連結してあるとともに、軸部に沿って上下に移動自在に連結してあり、一方の手摺は、一方の躯体にスライド自在に嵌合しており、他方の手摺は、他方の躯体と回動連結部と被回動連結部によって垂直軸回りで回動自在に連結してあり、躯体側は、手摺の縦桟に配置される回動連結部と、躯体側に配置される被回動連結部とを有しており、回動連結部と被回動連結部は、垂直軸回りで回動自在に連結してあり、手摺間および手摺と躯体間に取り付けられる回動連結部と被回動連結部は、手摺間および手摺と躯体間の各々の間隙のほぼ全体に亘って配置してあることを特徴とする。
【０００７】
本発明のうち請求項３記載の発明では、回動連結部と被回動連結部は、軸部を覆い且つ回動連結部と被回動連結部の間隙に常に配置されるアール状または面取り形状なす軸外周側壁部が設けてあることを特徴とする。
【発明の効果】
【０００８】
本発明のうち請求項１と２記載の発明によれば、手摺と躯体、および各手摺を連結する回動連結部が手摺と躯体間、および各手摺間の間隙を塞ぐかたちで配置してあることから、人が手摺の可動連結箇所に足を掛けることができず、これにより、幼児などが手摺を乗り越えて落下する危険性がなくなり、結果、安全なエキスパンションジョイントの運用ができる。
【０００９】
本発明のうち請求項３記載の発明によれば、回動連結部の軸外周側壁部が被回動連結部の外周を囲むように半円弧状で且つ、周壁面がアール状または面取り形状に形成されることで、手摺の回動状態が変化しても連結箇所は常に同一の連続的な意匠となる。これにより、通路側からは軸部が見えず、さらに、躯体と手摺、および手摺間が視覚的に連続的な意匠となることから、エキスパンションジョイントの外観意匠性が向上する。
【図面の簡単な説明】
【００１０】
【図１（ａ）（ｂ）】本実施によるエキスパンションジョイントを示す（ａ）は、躯体と手摺の回動連結箇所を拡大した正面図であり、（ｂ）は、（ａ）のＡ−Ａ線断面図である。
【図２】本実施によるエキスパンションジョイントを示すものであり、図１（ａ）の躯体と手摺の回動連結箇所の一部を簡略化して示す斜視図である。
【図３】本実施によるエキスパンションジョイントの全体を示す平面図である。
【図４（ａ）（ｂ）（ｃ）】（ａ）〜（ｃ）は、図３中Ｂを拡大して躯体と手摺の回動連結箇所の作動状態を示す平面図である。
【図５（ａ）（ｂ）（ｃ）（ｄ）（ｅ）】（ａ）〜（ｅ）は、本実施によるエキスパンションジョイントの作動状態を示す平面図である。
【図６】本発明のエキスパンションジョイントの他の実施形態の全体を示す平面図である。
【図７（ａ）（ｂ）（ｃ）】（ａ）〜（ｃ）は、図６中Ｃを拡大して手摺間の回動連結箇所の作動状態を示す平面図である。
【図８（ａ）（ｂ）（ｃ）（ｄ）（ｅ）】（ａ）〜（ｅ）は、本発明のエキスパンションジョイントの他の実施形態の作動状態を示す平面図である。
【図９】本発明のエキスパンションジョイントの他の実施形態の一方の手摺と一方の躯体の壁面との嵌合状態を示す縦断面図である。
【発明を実施するための形態】
【００１１】
以下、本発明のエキシパンションジョイントの実施形態を図面に基づいて説明する。
本実施によるエキスパンションジョイントは、図２と図３のように、足場２と、一方と他方の二枚の手摺３ａ，３ｂと、回動連結部４と、被回動連結部５とから構成してある。足場２は、一方の躯体１ａと他方の躯体１ｂの間の渡り廊下を構成するものであり、通路の一部を構成するために盤状をなすとともに、通路進行方向の一端側部を一方の躯体１ａの通路端部に、通路進行方向に対して直交方向にスライド自在に取り付けてある。さらに、足場２の通路進行方向の他端側部は、他方の躯体１ｂの通路端部に載置してあり、他方の躯体１ｂが動いても足場２が一緒に動かない構造となっている。また、二枚の手摺３ａ，３ｂは、引違い戸のように通路進行方向にスライド自在に嵌合してある。さらに、回動連結部４は、一方の手摺３ａの一方の躯体１ａ側と、他方の手摺３ｂの他方の躯体１ｂ側のそれぞれに取り付けてあり、一方及び他方の躯体１ａ，１ｂ側のそれぞれに設けてある被回動連結部５と連結し、上記した足場２とは独立して二枚の手摺３ａ，３ｂを垂直軸回りに回動自在としている。
【００１２】
上記の手摺３ａ，３ｂは、図１（ａ）（ｂ）のように、笠木６と下桟７と複数の縦桟８，８ａとから構成される矩形に框組みされたものである。笠木６は、長尺な中空形材を使用しており、笠木６の通路側または屋外側のいずれかの側壁部には、嵌合部９または被嵌合部１０のいずれかが笠木６の長手方向に沿ってレールのように連続して設けてある。嵌合部９は、笠木６の側部からほぼ水平に突出しており、その先端部が丸く膨らんだ形状をなしている。被嵌合部１０は、笠木６の側壁部の長手方向に沿って延長する溝状をなしており、上記の嵌合部９と凹凸に嵌合したときに、スライドのための僅かなクリアランスを残し、ほぼ一致した形状をなすものである。下桟７は、笠木６とほぼ平行に配置してあり、本実施のものでは、断面ほぼ矩形状をなす中空押出形材が使用されている。また、下桟７の側部には、上記の笠木６と同一形状をなす嵌合部９または被嵌合部１０のいずれかが、下桟７の長手方向に連続して設けてある。縦桟８，８ａは、笠木６と下桟７の間に配置してあり、下桟７から笠木６を支えるものであり、笠木６及び下桟７の長手方向に間隔をあけて複数設けてある。また、手摺３ａ，３ｂの通路進行方向の両側端に配置される縦桟８ａは、他の縦桟８よりも径が太く形成してあり、一方または他方の躯体１ａ，１ｂとの対向面側に回動連結部４を取り付けている。
【００１３】
回動連結部４は、図２のように、軸受側壁部１１と、軸外周側壁部１２と、軸受側壁部１１と軸外周側壁部１２とを連結する支持壁部１３及び手摺固定片１４とから構成される中空押出形材である。軸受側壁部１１は、被回動連結部５の軸部１９を受けるための半円形状の軸受け溝１５を有しており、一方または他方の躯体１ａ，１ｂ側に向かうに従い通路側に向けて傾斜している。軸外周側壁部１２は、軸受側壁部１１の軸受け溝１５を中心として外周側に膨らむ半円弧状に彎曲したものである。そして、上記の軸受側壁部１１の傾斜によって、回動連結部４は、全体の形状が軸部１９よりも一方または他方の躯体１ａ，１ｂ側の一部が通路側に偏るものとなっている。これにより、回動連結部４は、被回動連結部５との間に回動スペースＳが生まれるので、回動連結部４の回動範囲が確保される。
【００１４】
被回動連結部５は、一方または他方の躯体１ａ，１ｂ側に設置された方立２２に固定してあり、この方立２２の一側面に固定する方立固定片１６と、方立固定片１６の屋外側端部から一方または他方の手摺３ａ，３ｂ側に突出する軸部支持片１７と、方立固定片１６の通路側端部から軸部支持片１７とほぼ平行して突出する遮視片１８とからなっている。さらに、上記の軸部支持片１７の先端には軸部１９を有している。この軸部１９は、軸部支持片１７の先端から正円形状に丸く膨らんで形成してあり、その軸部１９に回動連結部４の軸受け溝１５を嵌合することにより、回動連結部４が軸部１９の外周に沿って回動することになる。さらに、軸部支持片１７は、通路側に僅かに屈曲しており、遮視片１８と方立固定片１６との間隙に回動連結部４を入り込ませることにより、一方または他方の手摺３ａ，３ｂが回動したときに、回動連結部４が軸部１９から離脱しない構造となる。また、被回動連結部５は、回動連結部４よりも上下に長く形成してあり、さらに、被回動連結部５の上側の小口は上側規制蓋３５で隠蔽してあるとともに、下側の小口は底側規制蓋３６で隠蔽してある。これにより、回動連結部４は、平時は底側規制蓋３６に載置され、上部に上下動スペースＰを残して手摺３ａ，３ｂを支持する。その上下動スペースＰにより、被回動連結部５の上側規制蓋３５から底側規制蓋３６までの上下の形成範囲内で軸部１９に沿って一方または他方の手摺３ａ，３ｂが移動自在となる。
【００１５】
上記のように構成したエキスパンションジョイントは、一方の躯体１ａと他方の躯体１ｂが揺動したときに、各躯体１ａ，１ｂの動きに合わせて被回動連結部５の軸部１９を中心に回動連結部４が一方の手摺３ａと他方の手摺３ｂとともに垂直軸回りに回動する。さらに、回動連結部４が被回動連結部５の上下の形成範囲内で軸部１９に沿って上下に移動自在になることから、各手摺３ａ，３ｂが上下に移動自在となる。このとき、被回動連結部５の遮視片１８と一方または他方の手摺３ａ，３ｂの縦桟８ａの間に、図１のように、回動連結部４の軸外周側壁部１２は、一方または他方の手摺３ａ，３ｂの下桟７から笠木６までの高さに近い範囲で配置されることから、一方または他方の躯体１ａ，１ｂと一方または他方の手摺３ａ，３ｂの間に形成される隙間のほとんどが隠蔽される。これにより、一方または他方の躯体１ａ，１ｂと一方または他方の手摺３ａ，３ｂの間隙に足を入れるスペースがなくなり、人が足を掛けて手摺３ａ，３ｂを登りにくくなることから、使用者の安全性が確保される。さらに、一方または他方の躯体１ａ，１ｂと一方または他方の手摺３ａ，３ｂの間に軸外周側壁部１２が常に配置されることで、一方または他方の躯体１ａ，１ｂと一方または他方の手摺３ａ，３ｂは、その連結箇所が目立ちにくく一体的で、且つ連続的な外観意匠を奏することになり、したがって、躯体１ａ, １ｂ間のエキスパンションジョイントを施工する渡り廊下の外観の美観が向上する。
【００１６】
また、本実施によるエキスパンションジョイントを構成する一方の手摺３ａと他方の手摺３ｂのスライド嵌合構造について説明する。
図１（ｂ）を参照すれば、一方の手摺３ａを構成する笠木６と下桟７には、他方の手摺３ｂと対向する側に、それぞれ嵌合部９が設けてある。この嵌合部９は、笠木６の側壁面からほぼ水平に突出しており、笠木６とは一体成形してあるとともに、笠木６の長手方向に連続して形成されている。これに対して他方の手摺３ｂを構成する笠木６と下桟７には、上記の嵌合部９と嵌合する被嵌合部１０が設けてある。この被嵌合部１０は、嵌合部９を呑み込む溝形状をなしており、嵌合部９と同様に、笠木６の長手方向に連続して設けてある。これにより、一方の手摺３ａと他方の手摺３ｂは、各手摺３ａ，３ｂの長手方向にスライド自在に嵌合されるが、各手摺３ａ，３ｂが通路側と屋外側に離れる方向には離脱しない構造となっている。
【００１７】
図５（ａ）〜（ｅ）に示すものは、本実施によるエキスパンションジョイントの作動状態を示すものである。
図５（ｂ）は、一方の躯体１ａと他方の躯体１ｂ間が最も狭まったときの状態を示すものである。このときには、各躯体１ａ，１ｂと各手摺３ａ，３ｂは、ほぼ直交した位置関係にあり、各手摺３ａ，３ｂは、通路側と屋外側に重なった状態で配置される。
図５（ｃ）（ｄ）は、一方の躯体１ａと他方の躯体１ｂが通路側と屋外側の相反する方向に揺れたときの状態を示すものである。このときには、一方の躯体１ａと他方の躯体１ｂの方立２２と手摺３ａ，３ｂを連結する回動連結部４が被回動連結部５の軸部１９で回動し、各手摺３ａ，３ｂが斜めに向いて一方の躯体１ａと他方の躯体１ｂ間の架設状態を維持する。さらに、一方の手摺３ａと他方の手摺３ｂとのスライドによって、複雑に変化する躯体１ａ，１ｂ間の間隔の拡がりや狭まりに対して逐次対応することになる。
図５（ｅ）は、一方の躯体１ａと他方の躯体１ｂ間が最大に拡がったときの本実施によるエキスパンションジョイントの状態である。本実施のエキスパンションジョイントが対応できる躯体１ａ，１ｂ間の間隔は、最大で手摺３ａ，３ｂの１枚分の範囲まで対応が可能となるが、このときに、一方の手摺３ａは、躯体１ａ，１ｂ間に配置され、他方の手摺３ｂは他方の躯体１ｂ側に配置される。さらに、回動連結部４と被回動連結部５は、一方または他方の躯体１ａ，１ｂに設置した方立２２と手摺３ａ，３ｂの間に配置され、回動連結部４が各躯体１ａ，１ｂとそれに対応する各手摺３ａ，３ｂの間から露出することにより、躯体１ａ，１ｂと手摺３ａ，３ｂが連続的な外観意匠となる。
尚、躯体１ａ，１ｂは、上記のように水平方向の動きに伴って上下に揺動するものであるが、回動連結部４が被回動連結部５の形成範囲内で軸部１９に沿って上下に移動自在であることから、各手摺３ａ，３ｂの浮き上がりや沈み込みにも柔軟に対応できる構造となっている。
【００１８】
次に、本発明のエキスパンションジョイントの他の実施形態として、通路の進行方向の片側の手摺３３ａ，３３ｂがＬ字型に連結されるものである。
本実施のエキスパンションジョイントは、図６のように、通路の両側に配置される手摺３ａ，３ｂ，３３ａ，３３ｂのうち、一側の手摺３ａ，３ｂは、上記の実施形態と同様に二枚の各手摺３ａ，３ｂでスライド嵌合するものとし、他側の手摺３３ａ，３３ｂは、二枚の手摺３３ａ，３３ｂを回動自在及び上下動自在に連結したものである。
一側の手摺３ａ，３ｂについては、上記実施形態と同様の構造であることから説明を省略する。そして、他側の手摺３３ａ，３３ｂについては、図９のように、一方の躯体１ａの壁面３１に、壁面３１に沿ってほぼ水平に延長するレール材３２が設けてあり、そのレール材３２には嵌合部２０が設けてある。これに対して一方の手摺３３ａには、被嵌合部２１が設けてあり、一方の躯体側１ａのレール材３２に一方の手摺３３ａがスライド自在に嵌合される。また、一方の手摺３３ａの通路側端部には、上記の実施形態と同じ構造の回動連結部４が取り付けてあり、回動連結部４には、他方の手摺３３ｂに取り付けてある被回動連結部５が回動自在且つ上下動自在に連結する。さらに、他方の手摺３３ｂは、一方の手摺３３ａとほぼ同一の構成なので図示は省略するが、他方の躯体１ｂの通路側の壁面３４に嵌合部２０を有するレール材３２を設け、他方の手摺３３ｂには、上記の嵌合部２０と嵌合する被嵌合部２１を設けてある。これにより、他方の手摺３３ｂは、他方の躯体１ｂの通路側の壁面３４のレール材３２に沿って進路進行方向にスライド自在に嵌合される。
【００１９】
上記のように形成することにより、本実施によるエキスパンションジョイントは、躯体１ａ，１ｂ間の動きにより、図８（ａ）〜（ｅ）のように作動する。
図８（ｂ）は、躯体１ａ，１ｂ間が最も狭まったときの状態を示すものである。このときに、図８（ａ）と比較し、一側の手摺３ａ，３ｂは、他方の手摺３ａ，３ｂがスライドして一方の手摺３ａと通路側と屋外側に重なる状態で一方の躯体１ａ側に配置される。また、他側の手摺３３ａ，３３ｂは、一方の手摺３３ａがレール材３２に沿ってスライドして一方の躯体１ａの壁面３１の屋外側にし、さらに、他方の手摺３３ｂは、他方の躯体１ｂの通路側の壁面３４に沿ってスライドして通路進行方向の奥側に移動する。さらに、図８（ｅ）のものは、躯体１ａ，１ｂ間が最も拡がった状態を示すものであり、一側および他側の手摺３ａ，３ｂ，３３ａ，３３ｂのうち、それぞれの他方の手摺３ｂ，３３ｂと足場２が躯体１ａ，１ｂ間にほぼ全長に亘って配置される。
図８（ｃ）（ｄ）は、一方の躯体１ａと他方の躯体１ｂが通路側と屋外側の相反する方向に揺れたときの状態を示すものである。このときには、図８（ａ）と比較し、一方の躯体１ａと他方の躯体１ｂの方立２２と手摺３ａ，３ｂを連結する回動連結部４が被回動連結部５の軸部１９で回動し、各手摺３ａ，３ｂが斜めに向いて一方の躯体１ａと他方の躯体１ｂ間の足場２の架設を維持する（図７（ａ）（ｂ）（ｃ）もあわせて参照）。さらに、一方の手摺３ａと他方の手摺３ｂとのスライドによって、上記の躯体１ａ，１ｂ間の変化に加えて躯体１ａ，１ｂ間の間隔の拡がりや狭まりの変化に対しても追従する。
【００２０】
上記した躯体１ａ，１ｂ間の様々な動きに対し、各躯体１ａ，１ｂの方立２２と一側の手摺３ａ，３ｂ間、および、他側の手摺３３ａ，３３ｂ間をそれぞれ連結する回動連結部４と被回動連結部５の配置状態について説明する。躯体１ａ，１ｂ間の動きがいずれの状態の場合でも、回動連結部４が一側の手摺３ａ，３ｂにおける躯体１ａ，１ｂと一方の手摺３ａまたは他方の手摺３ｂ間、および、他側の手摺３３ａ，３３ｂにおける一方の手摺３３ａと他方の手摺３３ｂ間のそれぞれに、常に間隙を塞ぐ状態で配置される。このことから、渡り廊下の通路側では、回動連結部４が遮って上記の間隙に人が足を入れることができず、さらに、足を掛ける箇所がなくなることで人が不用意に手摺３ａ，３ｂ，３３ａ，３３ｂを登りにくくなり、転落等の事故を防ぐことができる。さらに、躯体１ａ，１ｂと一側の手摺３ａ，３ｂ間、および他側の手摺３３ａ，３３ｂ間の間隙に回動連結部４が配置されることでエキスパンションジョイントの外観意匠性が向上する。
【００２１】
本発明のエキスパンションジョイントは、一側の手摺３ａ，３ｂとその対応する躯体１ａ，１ｂ間、さらに、他側の手摺３３ａ，３３ｂ間の隙間に人が足を入れ、回動連結部４にその足を掛けることのできない構造であればよい。具体的に、上記各実施形態のように、回動連結部４の設置される範囲を笠木６と下桟７より僅かに狭くしてもよいし、あるいは、笠木６の上端面から下桟７の下端面に至る範囲とするものでもよい。また、回動連結部４の軸外周側壁部１２の形状は、上記各実施形態では手摺３ａ，３ｂ，３３ａ，３３ｂの回動したときの意匠的な変化を抑えるために彎曲状としているが、手摺３ａ，３ｂ，３３ａ，３３ｂの回動を妨げない形状であれば特に限定するものではない。手摺３ａ，３ｂ，３３ａ，３３ｂの荷重に対する耐久性を確保できるものであれば、躯体１ａ，１ｂと手摺３ａ，３ｂ，３３ａ，３３ｂと、手摺３ａ，３ｂ，３３ａ，３３ｂ間をほとんど塞ぐ範囲で回動自在に連結する手段を問わない。
【符号の説明】
【００２２】
１ａ  一方の躯体
１ｂ  他方の躯体
２  足場
３ａ  一方の手摺（一側の手摺）
３ｂ  他方の手摺（一側の手摺）
４  回動連結部  
５  被回動連結部
６  笠木
７  下桟
８，８ａ  縦桟
９，２０  嵌合部
１０，２１  被嵌合部
１１  軸受側壁部
１２  軸外周側壁部
１３  支持壁部
１４  手摺固定片
１５  軸受け溝
１６  方立固定片
１７  軸部支持片
１８  遮視片
１９  軸部
２２  方立
３１  一方の躯体の壁面
３２  レール材（嵌合部）
３３ａ  一方の手摺（他側の手摺）
３３ｂ  他方の手摺（他側の手摺）
３４  他方の躯体の壁面
３５  上側規制蓋
３６  底側規制蓋
Ｐ  上下動スペース
Ｓ  回動スペース
【図１（ａ）（ｂ）】
2015151736.tif 000003
【図２】
2015151736.tif 000004
【図３】
2015151736.tif 000005
【図４（ａ）（ｂ）（ｃ）】
2015151736.tif 000006
【図５（ａ）（ｂ）（ｃ）（ｄ）（ｅ）】
2015151736.tif 000007
【図６】
2015151736.tif 000008
【図７（ａ）（ｂ）（ｃ）】
2015151736.tif 000009
【図８（ａ）（ｂ）（ｃ）（ｄ）（ｅ）】
2015151736.tif 000010
【図９】
2015151736.tif 000011